(57)【要約】      （修正有）【課題】均一な照度で均一に発光し、暗部領域ができにくい照明器具を提供する。【解決手段】照明器具１００は、ソケット１１、照明プレート１４及び照明カバー１２を含む。ソケットは、基板１１１、２つの接続プレート１１２及び２つのスライド溝１１４を含む。接続プレートは、基板における対向する両側に接続されて基板と凹溝１３を形成しており、凹溝の開口は、円弧状の凹面に面している。スライド溝は、それぞれ接続プレートの外側に接続されており、２つの端部開口及びスライドレールを含む。スライドレールは、端部開口の間に位置する。照明カバーは、天板及び２つの突出部１２２を含む。突出部は、それぞれ天板の両側に接続される。天板の側方断面は円弧状をなしており、円弧状の凹面はソケットに面する。各突出部の一端は、対応する端部開口からスライド溝に嵌入する。突出部は、照明カバーがソケットに組み付けられるまでスライドレール上を摺動する。【選択図】図１
2020038815.tif 000002
【特許請求の範囲】
【請求項１】
均一な照度の照明器具であって、ソケット、照明プレート及び照明カバーを含み、
前記ソケットは、基板、２つの接続プレート及び２つのスライド溝を含み、前記接続プレートは、前記基板における対向する両側に接続されて前記基板と凹溝を形成しており、前記凹溝の開口は円弧状の凹面に面しており、前記スライド溝はそれぞれ前記接続プレートの外側に接続されており、前記スライド溝は２つの端部開口及びスライドレールを含み、前記スライドレールは前記端部開口の間に位置しており、
前記照明カバーは、天板及び２つの突出部を含み、前記突出部はそれぞれ前記天板の両側に接続されており、前記天板の側方断面は円弧状をなしており、前記円弧状の凹面は前記ソケットに面しており、各前記突出部の一端は対応する前記端部開口から前記スライド溝に嵌入し、前記突出部は、前記照明カバーが前記ソケットに組み付けられるまで前記スライドレール上を摺動する照明器具において、
前記接続プレートは前記照明プレートの両側に対して外側に傾斜しており、
前記照明プレートは、本体及び複数の発光ユニットを含み、前記本体は前記凹溝内に設けられており、前記発光ユニットは、Ｘ軸及びＹ軸において互いに間隔を置いて均一に配列されるよう前記本体に設けられていることを特徴とする照明器具。
【請求項２】
前記照明カバーにおける前記円弧状の凹面の中心線と、前記本体の長手方向に対し平行な中心線との距離は２４〜２８ｍｍの範囲であることを特徴とする請求項１に記載の均一な照度の照明器具。
【請求項３】
前記スライド溝は、前記スライド溝の外側底面に位置する第１延伸プレートを含むことを特徴とする請求項１に記載の均一な照度の照明器具。
【請求項４】
前記スライドレールの側方断面は第１段差状をなしており、前記突出部の側方断面は前記第１段差状に対応する第２段差状をなしていることを特徴とする請求項１に記載の均一な照度の照明器具。
【請求項５】
前記照明カバーは、前記突出部と前記天板との接続箇所に設けられる第２延伸プレートを更に含み、前記照明カバーが前記ソケットに組み付けられると、前記第２延伸プレートは前記スライド溝の外側に位置し、２つの前記延伸プレート間の距離は７２〜７６ｍｍの範囲であることを特徴とする請求項１に記載の均一な照度の照明器具。
【請求項６】
前記接続プレートと前記基板は異なる平面に位置し、前記接続プレートは前記基板の中心線に対し鏡像対称であることを特徴とする請求項１に記載の均一な照度の照明器具。
【請求項７】
前記ソケットはアルミニウム型材からなり、前記照明カバーは可塑性材料からなることを特徴とする請求項１に記載の均一な照度の照明器具。
【請求項８】
前記発光ユニットは、前記本体の短手方向に第１アレイと第２アレイを設けるよう配列されており、前記第１アレイ及び前記第２アレイ上の前記発光ユニットは前記本体の長手方向に間隔を置いて設けられていることを特徴とする請求項１に記載の均一な照度の照明器具。
【請求項９】
前記第１アレイと前記第２アレイの距離は１６ｍｍであることを特徴とする請求項８に記載の均一な照度の照明器具。
【請求項１０】
前記第１アレイ上で隣接する前記発光ユニットの距離は４．６〜６ｍｍの範囲であり、前記第２アレイ上で隣接する前記発光ユニットの距離は４．６〜６ｍｍの範囲であることを特徴とする請求項８に記載の均一な照度の照明器具。 
【発明の詳細な説明】
【技術分野】
【０００１】
本発明は照明器具に関し、より詳細には、簡単に組み立てることができて、均一に良好な照度で発光可能な照明器具に関する。
【背景技術】
【０００２】
照明器具は、過去のシルクランプから蛍光灯、ハロゲン灯へと進化し、さらに現行のＬＥＤへの段階的に進化を続けている。照明器具は、照明機能とデザイン性の両立を図ることで、生活に彩りを与えることができるので、単なる家電製品の機能が求められるだけではなくなっている。
【０００３】
従来技術における照明装置内の発光ユニットの配置では、照明装置が均一な照度で光を放射することができず、照明装置による照明領域において暗い領域が容易に生じてしまう。このため、均一な照度で光を放射できる照明器具を設計することは、当業者が検討すべき課題である。
【０００４】
従来の照明器具の固定構造を開示する文献として下記の特許文献１がある。特許文献１に開示の照明器具の固定構造は、長手方向両端に設けられた固定用ステイに形成された切欠き溝に挿通する締結具によって照明器具を固定する固定構造であって、前記固定用ステイに、互いに直交する向きに開口する切欠き溝をそれぞれ形成したことを特徴とする。
【先行技術文献】
【特許文献】
【０００５】
【特許文献１】特開２０１４−１３７９８６号公報
【発明の概要】
【発明が解決しようとする課題】
【０００６】
しかしながら、従来の照明器具の固定構造は必ずしも取り付けが容易とは言えなかった。また照明器具の照度の面でもユーザーのニーズを満足できるものではなかった。このため、均一な照度で発光し、照明領域において暗部が生じにくく、発光ユニットが均一に配置された照明器具を提供することが求められていた。
【課題を解決するための手段】
【０００７】
本発明は、上記の課題に鑑みてなされたものであり、均一な照度の照明器具を提供するものであって、ソケット、照明プレート及び照明カバーを含み、前記ソケットは、基板、２つの接続プレート及び２つのスライド溝を含み、前記接続プレートは、前記基板における対向する両側に接続されて前記基板と凹溝を形成しており、前記凹溝の開口は円弧状の凹面に面しており、前記スライド溝はそれぞれ前記接続プレートの外側に接続されており、前記スライド溝は２つの端部開口及びスライドレールを含み、前記スライドレールは前記端部開口の間に位置しており、前記照明カバーは、天板及び２つの突出部を含み、前記突出部はそれぞれ前記天板の両側に接続されており、前記天板の側方断面は円弧状をなしており、前記円弧状の凹面は前記ソケットに面しており、各前記突出部の一端は対応する前記端部開口から前記スライド溝に嵌入し、前記突出部は、前記照明カバーが前記ソケットに組み付けられるまで前記スライドレール上を摺動する照明器具において、前記接続プレートは前記照明プレートの両側に対して外側に傾斜しており、前記照明プレートは、本体及び複数の発光ユニットを含み、前記本体は前記凹溝内に設けられており、前記発光ユニットは、Ｘ軸及びＹ軸において互いに間隔を隔てて均一に配列されるよう前記本体に設けられていることを特徴とする。
【０００８】
いくつかの実施形態において、前記照明カバーにおける前記円弧状の凹面の中心線と、前記本体の長手方向に対し平行な中心線との距離は２４〜２８ｍｍの範囲である。
【０００９】
いくつかの実施形態において、前記スライド溝は、前記スライド溝の外側底面に位置する第１延伸プレートを含んでいてもよい。
【００１０】
いくつかの実施形態において、前記スライドレールの側方断面は第１段差状をなしており、前記突出部の側方断面は前記第１段差状に対応する第２段差状をなしている。
【００１１】
いくつかの実施形態において、前記照明カバーは、前記突出部と前記天板との接続箇所に設けられる第２延伸プレートを更に含み、前記照明カバーが前記ソケットに組み付けられると、前記第２延伸プレートは前記スライド溝の外側に位置し、２つの前記延伸プレート間の距離は７２〜７６ｍｍの範囲であることを特徴とする。
【００１２】
いくつかの実施形態において、前記接続プレートと前記基板は異なる平面に位置し、前記接続プレートは前記基板の中心線に対し鏡像対称である。
【００１３】
いくつかの実施形態において、前記ソケットはアルミ型材からなり、前記照明カバーは可塑性材料からなる。
【００１４】
いくつかの実施形態において、前記発光ユニットは、前記本体の短手方向に第１アレイと第２アレイを設けるよう配列されており、前記第１アレイ及び前記第２アレイ上の前記発光ユニットは前記本体の長手方向に間隔を置いて設けられている。
【００１５】
いくつかの実施形態において、前記第１アレイと前記第２アレイの距離は１６ｍｍである。
【００１６】
いくつかの実施形態において、前記第１アレイ上で隣接する前記発光ユニットの距離は４．６〜６ｍｍの範囲であり、前記第２アレイ上で隣接する前記発光ユニットの距離は４．６〜６ｍｍの範囲である。
【本発明の効果】
【００１７】
本発明の高照度照明器具によれば、上記の発光ユニットの構造設計及び配置により、照明領域に暗部が生じにくく均一な照度で明るくすることができ、最適の照明を得ることができる。また、照明カバーの突出部をソケットのスライド溝に篏合することで両者を取り付けることができ、ユーザーは照明装置を迅速に組み立てることができ、従来の課題を解決することができる。
【図面の簡単な説明】
【００１８】
【図１】本発明の一実施形態の均一な照度の照明器具の外観の概略図である。
【図２】本発明の一実施形態の均一な照度の照明器具の側面図である。
【図３】本発明の一実施形態の均一な照度の照明器具の分解斜視図である。
【発明を実施するための形態】
【００１９】
本発明の詳細の特徴及び利点は、本発明の以下の実施形態において詳細に説明され、この分野における通常の知識を有する者であれば、この考案に関連する目的及び利点を容易に理解することができる。
【００２０】
図１〜図３はそれぞれ、本発明の一実施形態の均一な照度の照明器具１００の概略図、側面図及び分解斜視図である。
【００２１】
本実施形態の均一に発光する照明器具１００は、ソケット１１と、照明プレート１４と、照明カバー１２とを備えている。本実施形態において、ソケット１１は、アルミニウム型材で押出成形されており、長尺構造をなすとともに、基板１１１と、２つの接続プレート１１２及び２つのスライド溝１１４を含む。接続プレート１１２は、基板１１１における対向する両側に接続されており、２つの接続プレート１１２は互いに平行になっておらず、照明プレート１４の両側に対して外側に傾斜している。照明プレート１４の上面に設けられた発光ユニット１４２から照射される光によって２つの接続プレート１１２には暗い領域が生じないようになっている。
【００２２】
本実施形態においては、接続プレート１１２と基板１１１とによって２つの対向する凹溝１３が形成されており、当該凹溝１３の開口は円弧状の凹面に面しており、スライド溝１１４はそれぞれ接続プレート１１２の外側に接続されている。そして、スライド溝１１４は、２つの端部開口１１４１及びスライドレール１１４２を含み、スライドレール１１４２は端部開口１１４１の間に位置している。
【００２３】
本実施形態においては、照明プレート１４は、本体１４１及び複数の発光ユニット１４２を含み、本体１４１は凹溝１３内に設けられており、発光ユニット１４２は、Ｘ軸及びＹ軸において互いに間隔を置いて均一に配列されるよう本体１４１に設けられている。
【００２４】
本実施形態において、照明カバー１２は、長尺構造を有しており、天板１２１と、天板１２１の両側にそれぞれ接続される２つの突出部１２２を含む。天板の側方断面は円弧状をなしており、当該円弧状の凹面はソケット１１に面しており、各前記突出部１２２の一端は対応する端部開口１１４１からスライド溝１１４に嵌入し、突出部１２２は、スライドレール１１４２上を摺動して照明カバー１２がソケット１１に組み付けられる。
【００２５】
本実施形態において、発光ユニット１４２は、本体１４１の短手方向に第１アレイＬ１と第２アレイＬ２を設けるよう配列されており、第１アレイＬ１及び第２アレイＬ２上の発光ユニット１４２は本体１４１の長手方向に間隔を隔てて設けられている。第１アレイＬ１と第２アレイＬ２との間の距離は１６ｍｍである。
【００２６】
さらに、いくつかの実施形態において、第１アレイＬ１上で隣接する発光ユニット１４２の距離は４．６〜６ｍｍの範囲であり、第２アレイＬ２上で隣接する発光ユニット１４２の距離は４．６〜６ｍｍの範囲である。本発明においては、上述の発光ユニット１４２、本体１４１及び基板１１２の大きさ及び長さに限定されず、照明器具１００の長さによって発光ユニット１４２の数が決定される。異なるサイズの照明器具１００の場合は、発光ユニット１４２の個数も必然的に異なることになる。
【００２７】
さらに、照明カバー１２における円弧状の凹面の中心線と、本体１４１の長手方向に対し平行な中心線との距離は２４〜２８ｍｍの範囲であることが好ましい。本実施形態では、照明カバー１２における円弧状の凹面の中心線と、本体１４１の長手方向に平行な中心線との距離は２６．１ｍｍである。
【００２８】
一実施形態において、ソケット１１は、アルミニウム型材によって構成されている。
【００２９】
一実施形態において、照明カバー１２は可塑性材料によって構成されているが、これに限定されるものではなく、別の実施形態では、照明カバー１２はアルミニウム型材によって構成されていてもよい。
【００３０】
本実施形態では、スライド溝１１４は、スライド溝１１４の外側底面に位置する第１延伸プレート１１４３を含む。２つのスライド溝１１４の外側壁面間の距離は７２．０６ｍｍである。照明カバー１２の円弧状の凹面の中心線と、第１延伸プレート１１４３の外側側壁との間の距離は２８．９ｍｍである。
【００３１】
またスライドレール１１４２の側方断面は第１段差状１１４２’をなしており、突出部１２２の側方断面は第１段差状１１４２’に対応する第２段差状１２２’をなしている。換言すると、スライドレール１１４２と突出部１２２とが密接に整合し、照明カバー１２とソケット１１とが摺動してしっかり結合されるようになっている。
【００３２】
本実施形態では、照明カバー１２は、突出部１２２と天井プレート１２１との接続箇所に設けられる第２延伸プレート１２３を更に含み、照明カバー１２がソケット１１に被せられると、第２延伸プレート１２３はスライド溝１１４の外側に位置し、２つの延伸プレート１１４３間の距離は７２〜７６ｍｍの範囲であり、本実施形態では、２枚の延長プレート１１４３の間隔は７４．９８ｍｍとされている（図３参照）。
【００３３】
また、本実施形態では、接続プレート１１２と基板１１１は異なる平面に位置し、図３に示すように、接続プレート１１２は基板１１１の中心線に対し鏡像対称とされている。
【００３４】
本考案の高照度照明器具によれば、上述の構造設計及び発光ユニットの配置により、発光ユニットの個数に見合う最良の照度を達成することができ、均一な照度で均一に発光し、暗部領域ができないようになっている。また、照明カバーの突出部をソケットのスライド溝に篏合することで両者を取り付けることができるので、ユーザーは照明装置を迅速に組み立てることができ、従来の課題を解決することができる。
【００３５】
本発明の権利保護の範囲は、上記の本明細書に記載された実施形態のみに限定されるものではないことに留意すべきである。したがって、本発明の革新的な概念によれば、上述の技術は、本明細書に記載された実施形態のみに限られず、本明細書の内容及び図面から理解される内容に対して直接的又は間接的に修正又は変更を加えた均等の構造物にも適用されるべきものであり、本発明の解決策は、特許請求の範囲に含まれる限りにおいて他の関連技術の分野にも応用することができる。
【符号の説明】
【００３６】
１００    照明器具
１１    ソケット
１１１    基板
１１２    接続プレート
１１４    スライド溝
１１４１    端部開口
１１４２    スライドレール
１１４２’  第１段差状
１１４３    第１延伸プレート
１２    照明カバー
１２１    天井プレート
１２２    突出部
１２２’    第２段差状
１２３    第２延伸プレート
１３    凹溝
１４    照明プレート
１４１    本体
１４２    発光ユニット
Ｌ１    第１アレイ
Ｌ２    第２アレイ
【図１】
2020038815.tif 000003
【図２】
2020038815.tif 000004
【図３】
2020038815.tif 000005